(57)【要約】【課題】  釣り糸ガイドの取付部位に簡単な工夫を加えることによって、柔軟な曲がりを得ることのできる釣り竿用竿体を提供する。【解決手段】  強化繊維群にマトリックス樹脂を含浸させて形成したプリプレグシートをマンドレル５に巻回して筒状体を形成する。脚載置部を形成する為に、プリプレグシートにおける脚載置部に対応する部位に切欠き部４ａを形成する。脚載置部の外径を、竿外周面における脚載置部より竿先側に位置する部分に比べて小径に形成してある。【選択図】        図５
2007330118.tif 000002
【特許請求の範囲】
【請求項１】
竿外周面における脚載置部に、釣り糸ガイドの脚部を載置した状態で取付用糸を前記脚部と竿外周面とに亘って巻き付けて前記釣り糸ガイドを取り付け構成し、前記脚載置部を凹入形成してある釣り竿用竿体。
【請求項２】
前記脚載置部の外径を、前記竿外周面における前記脚載置部より竿先側に位置する部分に比べて、小径に形成してある請求項1記載の釣り竿用竿体。
【請求項３】
固定強化用接着剤を前記脚部に巻き付けられた取付用糸の表面に施して、前記取付用糸を被覆する被覆部を形成してある請求項1または２記載の釣り竿用竿体。
【請求項４】
前記被覆部の外周面と、その被覆部より竿先側に位置する竿体の外周面とを、面一又は略面一状態になるように形成してある請求項３記載の釣り竿用竿体。
【請求項５】
強化繊維群にマトリックス樹脂を含浸させて形成したプリプレグシートをマンドレルに巻回して筒状体を形成する釣り竿用竿体の製造方法であって、前記脚載置部を形成する為に、前記プリプレグシートにおける前記脚載置部に対応する部位に切欠き部又は抜き孔を形成してある請求項１〜４の内のいずれか一つに記載の釣り竿用竿体の製造方法。
【発明の詳細な説明】
【技術分野】
【０００１】
本発明は、外周面に釣り糸ガイドを装備している釣り竿用竿体に関する。
【背景技術】
【０００２】
釣り糸ガイドは、竿体の外周面に脚部を載せ付けて、その脚部と竿体の外周面とに亘って取付用糸を巻き付けて固定されていた（特許文献１参照）。
【０００３】
【特許文献１】特開２００４−１３５５４４号公報（段落番号〔００２２〕、及び、図１）
【発明の開示】
【発明が解決しようとする課題】
【０００４】
ところで、釣り竿においては、竿体自体の曲がり易さを示す調子の設定が重要になる。そこで、釣り糸ガイドが取り付けてある竿体の剛性について検討してみると、釣り糸ガイドを取り付けた部分においては、竿体と釣り糸ガイドとの合計した剛性を示し、釣り糸ガイドを取付けていない部分においては竿体のみの剛性を示すこととなり、釣り糸ガイドを取り付けた部分の剛性が、釣り糸ガイドを取付けていない部分の剛性より大きな値を示すこととなる。
そうすると、魚が針掛かりして穂先竿等に曲げ力が作用した場合に、釣り糸ガイドを取り付けた部分とその他の部分との剛性の違いによって、釣り糸ガイドを取り付けた部分が大きな曲げ抵抗を示し、釣り糸ガイドを取り付けた部分において、曲率の連続性が途切れ、竿体全体としては多角形に近い形状を示すこととなり、魚の引き等に柔軟に対応できない面があり、釣り操作に円滑さを欠くこととなっていた。
【０００５】
本発明の目的は、釣り糸ガイドの取付部位に簡単な工夫を加えることによって、柔軟な曲がりを得ることのできる釣り竿用竿体を提供する点にある。
【課題を解決するための手段】
【０００６】
〔構成〕
請求項１に係る発明の特徴構成は、竿外周面における脚載置部に、釣り糸ガイドの脚部を載置した状態で取付用糸を前記脚部と竿外周面とに亘って巻き付けて前記釣り糸ガイドを取り付け構成し、前記脚載置部を凹入形成してある点にあり、その作用効果は次の通りである。
【０００７】
〔作用〕
剛性の定義は、Ｅ（縦弾性係数）×Ｉ（断面二次モーメント）で表され、Ｉ（断面二次モーメント）は次ぎのように表される。
つまり、Ｉ＝竿体の断面二次モーメント＋釣り糸ガイド自体の断面二次モーメント＋（竿体の竿軸芯から釣り糸ガイドの重心までの間隔の二乗）×（釣り糸ガイドの断面積）。
脚載置部を形成するのに、竿外周面に凹入部を形成して構成したので、脚載置部を形成した竿体の断面二次モーメントは断面積が小さくなった分だけ小さくなる。
一方、釣り糸ガイド自体の断面二次モーメントは同一であるが、前記した（竿体の竿軸芯から釣り糸ガイドの重心までの間隔の二乗）の部分の数値が小さくなる。
したがって、釣り糸ガイドを取り付けた部分の断面二次モーメントが小さくなり、釣り糸ガイドを取り付けない部分との断面二次モーメントの違いを少なくできる。
【０００８】
〔効果〕
このように、釣り糸ガイドの脚載置部を凹入形成するだけの改造を施すだけで、釣り糸ガイド取り付け部分の剛性を釣り糸ガイドを取り付けていない部分の剛性に近づけることができた。これによって、竿体の曲がりが円弧に近いものになり、魚の動きに対して柔軟な対応が可能な釣り竿用竿体を提供できるに至った。
【０００９】
請求項２に係る発明の特徴構成は、請求項１に係る発明において、前記脚載置部の外径を、前記竿外周面における前記脚載置部より竿先側に位置する部分に比べて小径に形成してある点にあり、その作用効果は次の通りである。
【００１０】
〔作用効果〕
つまり、脚載置部を小径の部分に形成することによって、竿体自体の断面二次モーメントを小さくでき、それに連れて剛性も低下させることができるので、釣り糸ガイドを取り付けない部分との剛性の違いを小さくできる。
これによって、竿体の曲がりが円弧に近いものになり、魚の動きに対して柔軟な対応が可能な釣り竿用竿体を提供できるに至った。
【００１１】
請求項３に係る発明の特徴構成は、請求項１又は２に係る発明において、前記取付用糸を巻き付けて前記脚部を前記脚載置部に取り付けた状態で、固定強化用接着剤を前記脚部に巻き付けられた取付用糸の表面に施して、前記取付用糸を被覆する被覆部を形成してある点にあり、その作用効果は次の通りである。
【００１２】
〔作用効果〕
釣り糸ガイドを竿体の脚載置面に取り付けるのに、取付用糸によって行っているので、取付用の金具等金属製のもので固定する場合に比べて剛性が高くなることを抑制できるとともに、接着剤を併用しているので、取付用糸による固定状態を安定したものにできる。しかも、接着剤自体も金属材質のものではないので、剛性を高めることに寄与しない。
【００１３】
請求項４に係る発明の特徴構成は、請求項１〜３の内のいずれか一つに係る発明において、前記被覆部の外周面と、その被覆部より竿先側に位置する竿体の外周面とを、面一又は略面一状態になるように形成してある点にあり、その作用効果は次の通りである。
【００１４】
〔作用効果〕
被覆部の外周面と、その被覆部より竿先側に位置する竿体の外周面とを、面一又は略面一状態になるように形成してあるので、従来のように、釣り糸ガイドの脚部や取付用糸が竿体外周面より突出しない状態にできる。したがって、糸を巻き付けた部分と釣り糸ガイドを取付ない部分との段差がなくなり、剛性の違いを抑え美観の向上に寄与する。
【００１５】
請求項５に係る発明の特徴構成は、請求項１〜４の内のいずれか一つに係る発明において、強化繊維群にマトリックス樹脂を含浸させて形成したプリプレグシートをマンドレルに巻回して筒状体を形成する釣り竿用竿体の製造方法であって、前記脚載置部を形成する為に、前記プリプレグシートにおける前記脚載置部に対応する部位に切欠き部又は抜き孔を形成してある点にあり、その作用効果は次の通りである。
【００１６】
〔作用効果〕
つまり、脚載置部の外径を、釣り糸ガイドを取り付けていない竿先側部分の外径より小径のものに形成したり、脚載置部を凹入する形状に構成するのに、プリプレグシートにおける前記脚載置部に対応する部位に切欠き部又は抜き孔を形成した。
これによって、切欠き部又は抜き孔を形成したプリプレグシートをマンドレルに巻回して竿体を形成する場合に、その切欠き部又は抜き孔の部分はプリプレグシートが存在しない部分となる。そうすると、切欠き部又は抜き孔の部分は他の部分に比べて凹入する部分または小径の部分になる。
したがって、プリプレグシートに切欠き部又は抜き孔を設けるだけの改造によって、そのプリプレグシートをマンドレルに巻回するだけの通常の竿体製造過程を経るだけで前記した凹入する部分または小径の部分を形成できる。このことは、切欠き部や抜き孔を形成しないプリプレグシートをマンドレルに巻回して竿体を形成した後に、研磨加工や研削加工によって、小径の部分や凹入する部分を形成することを必要としないことを意味する。
これによって、製造工程の煩雑さを招来することなく、曲がりが円滑な扱い易い釣り竿用竿体を提供できるに至った。
【発明を実施するための最良の形態】
【００１７】
〔第１実施形態〕
石鯛釣り等に使用される釣り竿について説明する。図１に示すように、釣り竿の穂先竿１には、竿先端にトップガイド２、竿元側に中間ガイド３を取り付けて、釣り糸ａをガイドする機能が付与されている。
【００１８】
釣り糸ガイドとしての中間ガイド３について説明する。図２に示すように、中間ガイド３は、硬質リング（図示せず）を縁に嵌め込んだ釣り糸ガイド孔３Ｂと、釣り糸ガイド孔３Ｂを先端部に形成して竿外周面に向けて延出される支持フレーム３Ｃと、支持フレーム３Ｃの竿外周面に向けて延出された縦向きフレーム部分を竿先側に屈曲形成して形成される竿先側脚部３Ａａと、支持フレーム３Ｃの釣り糸ガイド孔３Ｂの両側方より竿元側に向けて延出された斜めフレーム部分を先端で合体させて竿元側に屈曲形成した竿元側脚部３Ａｂとを備えて構成されている。
【００１９】
次に、穂先竿１の中間ガイド３の取付構造について説明する。図２（イ）に示すように、穂先竿１の中間ガイド３の取付部位に、穂先竿１における前記取付部位より竿先側の部分１Ａ、及び、前記取付部位より竿元側の部分１Ｂの外周面径より小径の部分１Ｃを形成してある。小径の部分１Ｃの竿軸線方向に沿った長さＬ２は、中間ガイド３における竿先側脚部３Ａａの竿先側端から竿元側脚部３Ａｂの竿元側端に至る間隔に等しいか僅かに長い寸法に設定される。
【００２０】
図２（ロ）に示すように、小径の部分１Ｃの外周面に中間ガイド３の竿先側脚部３Ａａと竿元側脚部３Ａｂとを載置し、竿先側脚部３Ａａと小径の部分１Ｃの外周面、及び、竿元側脚部３Ａｂと小径の部分１Ｃの外周面とに亘って、夫々、取付用糸ｂを巻回して、中間ガイド３を穂先竿１に取り付ける。竿先側脚部３Ａａと竿元側脚部３Ａｂとに巻回された取付用糸ｂの表面に、ウレタン樹脂等の塗料を接着剤として塗布し、取付用糸ｂの巻付け状態を固定する。
ここに、小径の部分１Ｃの外周面における中間ガイド３の取り付け部位を脚載置部Ｄと称する。このウレタン樹脂等の塗料を接着剤として塗布して形成したものを、被覆部Ｂと称する。
【００２１】
図２（ロ）に示すように、被覆部Ｂの表面と竿先側の部分１Ａ、及び、竿元側の部分１Ｂの表面とが面一又は略面一状態になるように、被覆部Ｂの表面に研磨加工等を施して調整する。これによって、被覆部Ｂの表面が竿先側の部分１Ａ、及び、竿元側の部分１Ｂの表面より突出することによって断面積が拡大し重量増を来たすことを防止できるとともに、竿先側の部分１Ａ、及び、竿元側の部分１Ｂの表面との段差を無くすことができ、美観の向上等に寄与できる。また、小径の部分１Ｃに載置された竿先側脚部３Ａａと竿元側脚部３Ａｂとの間にも、塗料を施すことによって、取付用糸ｂの巻付け部位との段差も解消できる。
【００２２】
図示してはいないが、竿先側脚部３Ａａと竿元側脚部３Ａｂとは、円周方向に沿った幅が狭い板状のものであって、小径の部分１Ｃの外周面の曲率に沿うように、板状の竿先側脚部３Ａａと竿元側脚部３Ａｂとを湾曲形状に形成してもよい。これによって、小径の部分１Ｃの外周面を円弧面状態に維持できる。
【００２３】
一方、竿先側脚部３Ａａと竿元側脚部３Ａｂとを湾曲状ではない平板状に形成する場合には、穂先竿１の小径の部分１Ｃに対して加工を施すことにする。つまり、図３に示すように、小径の部分１Ｃの外周面における竿先側脚部３Ａａと竿元側脚部３Ａｂとを載置する部分を、平坦面に研削加工する。これによって、平板状の竿先側脚部３Ａａと竿元側脚部３Ａｂとの載置面が小径の部分１Ｃの平坦面に、全面的に接触する状態で載置され、載置状態が安定する。
【００２４】
このように、小径の部分１Ｃの外周面において、竿先側脚部３Ａａと竿元側脚部３Ａｂとを載置する部分として平坦面に形成された部分を脚載置部Ｄと称する。
また、小径の部分１Ｃの断面形状が円形の一部に平坦面が形成されその平坦面部位に、平板状の竿先側脚部３Ａａと竿元側脚部３Ａｂとが載置されているので、竿先側脚部３Ａａと竿元側脚部３Ａｂとが、円周方向に位置ズレすることが抑制される。
【００２５】
前記したように、竿先側脚部３Ａａと竿元側脚部３Ａｂとを被覆した樹脂塗料の表面を、竿先側の部分１Ａ、及び、竿元側の部分１Ｂの表面と面一又は略面一状態となるように構成したが、面一である必要はなく、いずれが突出する状態であってもよい。
【００２６】
次に、穂先竿１の製造工程について説明する。図５に示すように、マンドレル５に複数枚のメインパターン４を巻回する。メインパターン４は、炭素繊維等の強化繊維ｃを一方向に引き揃えた繊維群に対して、エポキシ等の熱硬化性樹脂を含浸させることによってプリプレグシートを形成し、そのプリプレグシートを略台形状に裁断して形成されている。
他の強化繊維ｃとしては、ガラス繊維、ボロン繊維が使用でき、マトリックス樹脂としては、ＰＥＴ等の熱可塑性樹脂を使用することができる。
【００２７】
図５（イ）（ロ）に示すものでは、４枚のメインパターンが用意され、第1層目となる第1メインパターン４Ａでは、強化繊維ｃの引き揃え方向が竿の円周方向に沿った状態に引き揃えられており、第２層目となる第２メインパターン４Ｂでは、強化繊維ｃの引き揃え方向が竿の軸線方向に沿った状態に引き揃えられており、第３層目となる第３メインパターン４Ｃでは、強化繊維ｃの引き揃え方向が竿の円周方向に沿った状態に引き揃えられており、第４層目となる第４メインパターン４Ｄでは、強化繊維ｃの引き揃え方向が竿の軸線方向に沿った状態に引き揃えられている。
【００２８】
図５（ロ）に示すように、第４メインパターン４Ｄでは、他の３つのメインパターン４Ａ、４Ｂ、４Ｃと異なっており、その形状は次ぎのようになっている。つまり、第４メインパターン４Ｄは、基本的には竿先側の幅Ｌ１を１プライ分より僅かに大きな幅に設定し、その竿先側の幅Ｌ１を基準にして、マンドレル５に巻回する際に巻き始め部分となる直線部ｄとマンドレル５に巻回する際に巻き終り部分となる斜辺部ｅによって台形状を呈しており、その斜辺部ｅに切欠き部４ａを複数箇所に亘って形成してある。
つまり、中間ガイド３を取り付ける位置に対応して切欠き部４ａを形成してあり、図５（ロ）においては、３個の中間ガイド３を装着するものに対応して、３個の切欠き部４ａを形成してある。
【００２９】
図５（ロ）に示すように、３個の切欠き部４ａにおける斜辺部ｅに沿った切欠き長さＬ３は、前記した小径の部分１Ｃの竿軸線方向に沿った長さＬ２に相当する。各切欠き部４ａにおける斜辺部ｅに直交して直線部ｄに向かう奥行き深さＬ４は、１プライ分の長さに設定する。
【００３０】
以上のように、第１メインパターン４Ａから第３メインパターン４Ｃまでの３層分のメインパターンを巻回して構成した筒状体の上から、３個の切欠き部４ａを形成した第４メインパターン４Ｄを巻回すると、切欠き部４ａに相当する部分が小径の部分１Ｃを構成するものとなる。
【００３１】
上記した奥行き幅Ｌ４について、１プライ分の長さに形成したが、その他の構成のものとしては、中間ガイド３の剛性に相当する分だけを切欠く長さに設定するのが、望ましい。少なくとも、竿先側脚部３Ａａと竿元側脚部３Ａｂを載置するだけの奥行き幅Ｌ４を形成すればよい。
【００３２】
〔第２実施形態〕
ここでは、図６に示すように、メインパターン４を１枚だけで構成し、このメインパターン４を複数プライに亘って巻回するために、竿先側端部の幅Ｌ５を複数プライ巻回することのできる幅に設定する。そうすると、このメインパターン４の斜辺部ｅに３個の切欠き部４ａを形成し、切欠き部４ａの寸法は、第１実施形態で示した、切欠き長さＬ３と奥行き幅Ｌ４と同様である。
このようなメインパターン４を複数プライに巻回することによって、切欠き部４ａの存在によって、図２に示す、小径の部分１Ｃを形成することができる。
【００３３】
〔第３実施形態〕
ここでは、第１実施形態での第４メインパターン４Ｄと、第２実施形態でのメインパターン４に形成される切欠き部４ａとは、異なる形成方法を提示する。図５及び図６に示すように、斜辺部ｅから直線部ｄに向けて切欠き部４ａを形成したが、この第３実施形態では、斜辺部ｅより一定長さだけ直線部ｄに向けて内部に移行した位置に抜き孔４ｂとして形成するものを使用する。
【００３４】
上記のような第４メインパターン４Ｄとメインパターン４を巻回して得られる穂先竿１のものとしては、図８に示すように、穂先竿１の中間ガイド３の竿先側脚部３Ａａと竿元側脚部３Ａｂを載置する為に、穂先竿１の円周方向の一部のみに凹入部を形成して、この凹入部を脚載置部Ｄとする。
この場合には、図７に示すように、凹入部を形成する抜き孔４ｂがメインパターン４等の斜辺部ｅに達するものではなく、斜辺部ｅは連続する状態で繋がっているので、図５及び図６に示すように、斜辺部ｅが連続する状態で繋がっていない切欠き部４ａを形成している場合に比べて、斜辺部ｅでの亀裂の発生や解れの伝播等が抑制される。
【００３５】
〔別実施形態〕
（１）  脚載置部Ｄを形成する竿としては、中実棒状の穂先竿１等であってもよい。この場合には、中実棒を形成した段階で前記した小径の部分１Ｃ等を研削加工又は切削加工によって形成する。これによって、中実棒状の穂先竿１等においても、脚載置部Ｄを形成でき、釣り糸ガイド３の取付部位での剛性の高まりを緩和できる。
ここに、中実棒状の穂先竿１の製造方法については図示してはいないが、次ぎのようなものである。ガラス繊維等の強化繊維を束にしたものを、熱硬化性樹脂液内を潜らせて、ガラス繊維群に熱硬化性樹脂を含浸させる。含浸させたものをダイスを通して細長い棒状のものに抜き出して固める。抜き出したものを、所定長さに裁断し、裁断後棒状のものに表面研磨を行って中実棒状の竿素材を形成する。
このように形成した竿素材に更に研磨加工、又は、研削加工を行って、小径の部分１Ｃ等の脚載置部Ｄを形成する。
（２）  上記した構成は穂先竿１について説明したが、他の中竿に適用してもよい。
（３）  中間ガイド３としては、竿先側脚部３Ａａと竿元側脚部３Ａｂとを有したもので説明したが、竿元側脚部３Ａｂだけを有している一本脚タイプの中間ガイド３であってもよい。
【図面の簡単な説明】
【００３６】
【図１】穂先竿の側面図
【図２】（イ）小径の部分に釣り糸ガイドを取り付ける前の状態を示す側面図、（ロ）小径の部分に釣り糸ガイドを取り付た状態を示す側面図
【図３】（イ）小径の部分に釣り糸ガイドを取り付ける前の状態を示す縦断正面図、（ロ）平坦面に釣り糸ガイドを取り付た状態を示す縦断正面図
【図４】小径の部分に釣り糸ガイドを取り付けた状態を示す斜視図
【図５】（イ）第１〜第３メインパターンをマンドレルに巻回する前の状態を示す斜視図、（ロ）第１〜第３メインパターンをマンドレルに巻回した後に、第４メインパターンをその上から巻回する前の状態を示す平面図
【図６】第２実施形態に対応したメインパターンを示す平面図
【図７】第３実施形態に対応したメインパターンを示す平面図
【図８】第３実施形態に対応したメインパターンを巻回して形成した脚載置部に釣り糸ガイドを取付けた状態を示す縦断側面図
【符号の説明】
【００３７】
３                    中間ガイド（釣り糸ガイド）
３Ａａ、３Ａｂ        脚部
４ａ                  切欠き部
４ｂ                  抜き孔
Ｂ                    被覆部
Ｄ                    脚載置部
【図１】
2007330118.tif 000003
【図２】
2007330118.tif 000004
【図３】
2007330118.tif 000005
【図４】
2007330118.tif 000006
【図５】
2007330118.tif 000007
【図６】
2007330118.tif 000008
【図７】
2007330118.tif 000009
【図８】
2007330118.tif 000010